(57)【要約】【課題】  本発明は、商品の陳列販売時だけでなく、商品の保管ケースとしても使用できる包装ケースを提供する。【解決手段】  本発明の包装ケース１は、筒状の周壁面３１を有する下方ケース３と、筒状の周壁面２１を有し、且つ前記下方ケース３の周壁面３１の外側又は内側に挿入された上方ケース２と、を備え、前記上方ケース２を前記下方ケース３の上方位置において保持することにより、前記上方ケース２及び下方ケース３の内部に収納部が形成されており、前記上方ケース２が、その周壁面２１を前記下方ケース３の周壁面３１に添わせながら、前記下方ケース３の上下方向に対してスライド移動可能であり、前記上方ケース２を前記下方ケース３の上方位置において保持するための保持手段が設けられている。【選択図】  図１
2010269802.tif 000002
【特許請求の範囲】
【請求項１】
筒状の周壁面を有する下方ケースと、筒状の周壁面を有し、且つ前記下方ケースの周壁面の外側又は内側に挿入された上方ケースと、を備え、前記上方ケースを前記下方ケースの上方位置において保持することにより、前記上方ケース及び下方ケースの内部に収納部が形成されており、
前記上方ケースが、その周壁面を前記下方ケースの周壁面に添わせながら、前記下方ケースの上下方向に対してスライド移動可能であり、
前記上方ケースを前記下方ケースの上方位置において保持するための保持手段が設けられていることを特徴とする包装ケース。
【請求項２】
前記上方ケースが前記下方ケースの外側に挿入されており、
前記保持手段が、前記上方ケースの周壁面に形成された下向き縁に前記下方ケースの周壁面に形成された上向き縁を交差させた左右一対の第１交差部と、前記上方ケースの周壁面に形成された上向き縁に前記下方ケースの周壁面に形成された下向き縁を交差させた左右一対の第２交差部と、を有し、
前記一対の第１交差部の間における上方ケースの第１領域が、前記一対の第１交差部の間における下方ケースの第１領域の内側に係入され、且つ前記一対の第２交差部の間における上方ケースの第２領域が、前記一対の第２交差部の間における下方ケースの第２領域の内側に係入されており、
前記上方ケースの第１領域、前記上方ケースの第２領域、前記下方ケースの第１領域及び前記下方ケースの第２領域から選ばれる少なくとも１つの領域を切除するための破断用補助線が設けられている、請求項１に記載の包装ケース。
【請求項３】
前記上方ケースが前記下方ケースの内側に挿入されており、
前記保持手段が、前記上方ケースの周壁面に形成された下向き縁に前記下方ケースの周壁面に形成された上向き縁を交差させた左右一対の第１交差部と、前記上方ケースの周壁面に形成された上向き縁に前記下方ケースの周壁面に形成された下向き縁を交差させた左右一対の第２交差部と、を有し、
前記一対の第１交差部の間における下方ケースの第１領域が、前記一対の第１交差部の間における上方ケースの第１領域の内側に係入され、且つ前記一対の第２交差部の間における下方ケースの第２領域が、前記一対の第２交差部の間における上方ケースの第２領域の内側に係入されており、
前記下方ケースの第１領域、前記下方ケースの第２領域、前記上方ケースの第１領域及び前記上方ケースの第２領域から選ばれる少なくとも１つの領域を切除するための破断用補助線が設けられている、請求項１に記載の包装ケース。
【請求項４】
前記下方ケースの周壁面に、第１意匠部が設けられており、前記上方ケースの周壁面に、前記上方ケースを下方位置にスライド移動させたときに、前記第１意匠部に重なる第２意匠部が設けられている、請求項１〜３の何れかに記載の包装ケース。
【請求項５】
請求項１に記載の包装ケースの収納部内に、柄と埃吸着部とを有する清掃具が収納されており、前記上方ケースを下方ケースの下方向にスライド移動させたときに前記清掃具の柄が下方ケースから突出可能である清掃具包装体。
【請求項６】
包装ケースの収納部内に、柄と埃吸着部とを有する清掃具が収納された清掃具製品であって、
前記包装ケースが、筒状の周壁面を有する下方ケースと、前記下方ケースの上下方向に対してスライド移動可能な筒状の周壁面を有し、且つ前記下方ケースの周壁面の外側又は内側に挿入された上方ケースと、を備え、前記上方ケースを前記下方ケースの上方位置において保持するための保持手段が設けられ、前記上方位置に保持された上方ケース及び下方ケースの内部に前記収納部が形成されており、
前記上方ケースを下方ケースの下方向にスライド移動させたときに前記清掃具の柄が下方ケースから突出可能であることを特徴とする清掃具製品。
【発明の詳細な説明】
【技術分野】
【０００１】
本発明は、商品を入れる包装ケースに関し、特に、ハンディモップのような清掃具を入れる包装ケース及び清掃具包装体等に関する。
【背景技術】
【０００２】
従来、室内や車内などの埃を除去するための清掃具が知られており、その中で、個人が手軽に清掃できる清掃具として、特許文献１に記載のようなハンディモップが公知である。
該ハンディモップは、ゴミや埃を付着させるためのモップ本体と、それを取り付けるための把手と、を備えている（特許文献１）。
かかるハンディモップは、通常、合成樹脂製シートを中空直方体状に組み立てた包装ケース（いわゆるキャラメル箱）に入れられた状態で販売されている。
消費者は、該包装ケースに入れられたハンディモップを購入後、包装ケースからハンディモップを取り出し、これを用いて家具などの埃を除去する。
ところで、上記ハンディモップは、一度だけでなく何度か再使用することができるので、消費者は、一度使用したハンディモップを家具上などに置いて保管している。
しかしながら、一度使用したハンディモップには埃などが付着して汚れているので、ハンディモップを家具上などに置いておくと、家具などが汚れるだけでなく、部屋の景観を損ねるという問題点がある。
【０００３】
一方、特許文献２には、清掃具収納部が形成されたブリスターカバーと、前記清掃具収納部の開口を閉塞する蓋板と、を有し、前記清掃具収納部は、清掃具を分離した状態では収納できるが、清掃具を組み立てた状態では収納できない形状であり、蓋板に切り起こし蓋を形成可能とする２つの切り込みマークが設けられた清掃具用容器が開示されている。
前記特許文献２の清掃具用容器は、切り込みマークに従って蓋板に切り込みを形成し、切り起こし蓋を形成する。この切り起こし蓋を手前に引いて折り曲げ、ブリスターカバーと蓋板の間に挿入口を形成し、この挿入口から清掃具を差し込むことにより、一度使用した清掃具を容器に保管することができる（特許文献２の［００２３］及び図７など）。
【先行技術文献】
【特許文献】
【０００４】
【特許文献１】特開２００５−２３０５７６号公報
【特許文献２】特開２００９−２３６６５号公報
【発明の概要】
【発明が解決しようとする課題】
【０００５】
しかしながら、特許文献２の清掃具用容器は、切り起こし蓋を折り曲げて挿入口を形成するため、挿入口から清掃具を出し入れするときに、切り起こし蓋に清掃具が当たり、これを容易に出し入れできないという問題点がある。
【０００６】
本発明の目的は、商品の陳列販売時だけでなく、商品の出し入れを容易に行える保管ケースとしても使用できる包装ケースを提供することであり、特に、ハンディモップのような清掃具の保管ケースとして使用できる包装ケースを提供することである。
【課題を解決するための手段】
【０００７】
本発明の包装ケースは、筒状の周壁面を有する下方ケースと、筒状の周壁面を有し、且つ前記下方ケースの周壁面の外側又は内側に挿入された上方ケースと、を備え、前記上方ケースを前記下方ケースの上方位置において保持することにより、前記上方ケース及び下方ケースの内部に収納部が形成されており、前記上方ケースが、その周壁面を前記下方ケースの周壁面に添わせながら、前記下方ケースの上下方向に対してスライド移動可能であり、前記上方ケースを前記下方ケースの上方位置において保持するための保持手段が設けられている。
【０００８】
上記本発明の包装ケースは、保持手段を用いて上方ケースを下方ケースの上方位置において保持することにより、内部に商品を入れた状態で、これを陳列販売できる。
前記保持手段を解除して上方ケースを下方ケースの下方向にスライド移動させると、上方ケースの周壁面と下方ケースの周壁面が重なり、包装ケースを２重構造箱に変えることができる。この２重構造箱の上方の開口から商品を容易に出し入れできるので、本発明の包装ケースは、商品の保管ケースとして使用することができる。従来、商品を取り出した後の包装ケースは廃棄されていたが、本発明によれば、直ぐに廃棄せず、保管ケースとしても使用できる。
また、前記２重構造箱は、上方ケースと下方ケースの各周壁面が重なって構成されているので、壁面強度に優れ、商品を出し入れするときに潰れにくい。
さらに、前記２重構造箱は、上方ケースを下方向に移動させることにより構成されるので、その高さ（上下方向長さ）が、元の包装ケースの高さに比して低くなる。このため、前記２重構造箱は、自立安定性にも優れている。
【０００９】
本発明の好ましい包装ケースは、前記上方ケースが前記下方ケースの外側に挿入されており、前記保持手段が、前記上方ケースの周壁面に形成された下向き縁に前記下方ケースの周壁面に形成された上向き縁を交差させた左右一対の第１交差部と、前記上方ケースの周壁面に形成された上向き縁に前記下方ケースの周壁面に形成された下向き縁を交差させた左右一対の第２交差部と、を有し、前記一対の第１交差部の間における上方ケースの第１領域が、前記一対の第１交差部の間における下方ケースの第１領域の内側に係入され、且つ前記一対の第２交差部の間における上方ケースの第２領域が、前記一対の第２交差部の間における下方ケースの第２領域の内側に係入されており、前記上方ケースの第１領域、前記上方ケースの第２領域、前記下方ケースの第１領域及び前記下方ケースの第２領域から選ばれる少なくとも１つの領域を切除するための破断用補助線が設けられている。
【００１０】
本発明の好ましい包装ケースは、前記上方ケースが前記下方ケースの内側に挿入されており、前記保持手段が、前記上方ケースの周壁面に形成された下向き縁に前記下方ケースの周壁面に形成された上向き縁を交差させた左右一対の第１交差部と、前記上方ケースの周壁面に形成された上向き縁に前記下方ケースの周壁面に形成された下向き縁を交差させた左右一対の第２交差部と、を有し、前記一対の第１交差部の間における下方ケースの第１領域が、前記一対の第１交差部の間における上方ケースの第１領域の内側に係入され、且つ前記一対の第２交差部の間における下方ケースの第２領域が、前記一対の第２交差部の間における上方ケースの第２領域の内側に係入されており、前記下方ケースの第１領域、前記下方ケースの第２領域、前記上方ケースの第１領域及び前記上方ケースの第２領域から選ばれる少なくとも１つの領域を切除するための破断用補助線が設けられている。
【００１１】
上記好ましい包装ケースは、第１交差部及び第２交差部を有するので、上方ケースが上下方向に移動する虞がない。従って、内部に商品を入れた状態で包装ケースを陳列販売したときに、不用意に上方ケースが下方ケースから外れることがない。
一方、包装ケースを開封するときには、破断用補助線を利用すれば下方ケースの第１領域などを容易に切除できる。前記第１領域などを切除することにより、第１交差部及び／又は第２交差部における上向き縁と下向き縁の交差を解除できるので、上方ケースを下方向にスライド移動させて、商品を出し入れすることができる。
【００１２】
本発明の他の好ましい包装ケースは、前記下方ケースの周壁面に、第１意匠部が設けられており、前記上方ケースの周壁面に、上方ケースを下方位置にスライド移動させたときに、前記第１意匠部に重なる第２意匠部が設けられている。
【００１３】
上記他の好ましい包装ケースは、例えば、上方ケースが下方ケースの外側に挿入されている場合、上方ケースを下方位置に移動させると、上方ケースの第２意匠部が下方ケースの第１意匠部に重なり、第１意匠部の表示を隠すことができる。この場合、例えば、前記第１意匠部に広告を表示し、且つ前記第２意匠部に広告以外の意匠を表示しておくと、上記２重構造箱を構成した場合、この広告が外部から見え難くなる。このため、本発明の包装ケースを、広告の目立たない２重構造箱に変えることができる。
【００１４】
本発明の別の局面によれば、本発明は清掃具包装体を提供する。
この清掃具包装体は、上記包装ケースの収納部内に、柄と埃吸着部とを有する清掃具が収納されており、前記上方ケースを下方ケースの下方向にスライド移動させたときに前記清掃具の柄が下方ケースから突出可能である。
本発明の別の局面によれば、本発明は清掃具製品を提供する。
この清掃具製品は、包装ケースの収納部内に、柄と埃吸着部とを有する清掃具が収納された清掃具製品であって、前記包装ケースが、筒状の周壁面を有する下方ケースと、前記下方ケースの上下方向に対してスライド移動可能な筒状の周壁面を有し、且つ前記下方ケースの周壁面の外側又は内側に挿入された上方ケースと、を備え、前記上方ケースを前記下方ケースの上方位置において保持するための保持手段が設けられ、前記上方位置に保持された上方ケース及び下方ケースの内部に前記収納部が形成されており、前記上方ケースを下方ケースの下方向にスライド移動させたときに前記清掃具の柄が下方ケースから突出可能である。
【発明の効果】
【００１５】
本発明によれば、商品を入れて陳列販売するための包装ケースを、保管ケースとして使用することができる。また、本発明の包装ケースは、保管ケースとして使用したときに、商品を容易に出し入れできる。本発明の包装ケースは、特に、汚れた後も再使用される家庭用清掃具を収納する包装ケースとして好適である。
また、本発明の清掃具包装体及び清掃具製品は、包装ケースから清掃具を取り出し後、これを包装ケースに容易に収納することができる。
【図面の簡単な説明】
【００１６】
【図１】第１実施形態に係る包装ケースの正面図。
【図２】（ａ）は、図１のＩＩ部の拡大図、（ｂ）は、同ＩＩ部の斜視図。
【図３】図１のＩＩＩ−ＩＩＩ線で切断した断面図。
【図４】同包装ケース（上方ケース及び下方ケース）を形成するためのシート材の展開図。
【図５】同包装ケースを開封したときの正面図。
【図６】同包装ケースの上方ケースを下方位置に下げた状態の正面図。
【図７】第２実施形態に係る包装ケースの背面図。
【図８】同正面図。
【図９】図８のＩＸ部の拡大図。
【図１０】（ａ）は、図７のＸａ−Ｘａ線で切断した断面図、（ｂ）は、図８のＸｂ−Ｘｂ線で切断した断面図、
【図１１】同包装ケース（上方ケース及び下方ケース）を形成するためのシート材の展開図。
【図１２】同包装ケースを開封したときの正面図。
【図１３】同包装ケースの上方ケースを下方位置に下げた状態の正面図。
【図１４】その他の実施形態に係る包装ケースの斜視図。
【発明を実施するための形態】
【００１７】
以下、本発明の包装ケースの実施形態を図面を参照しつつ説明する。
本発明の包装ケースは、筒状の周壁面を有する下方ケースと、筒状の周壁面を有し、且つ前記下方ケースの周壁面の外面側又は内面側にスライド移動可能に挿入された上方ケースと、を備えている。前記包装ケースは、商品を入れて陳列販売するときには、保持手段を用いて、上方ケースが下方ケースの上方位置において保持されている。商品は、前記上方位置に保持された上方ケースと下方ケース（包装ケース）の内部に形成された収納部に入れられる。
なお、本明細書において、方向を示す用語として「上」及び「下」を使用するが、これは、包装ケースを自立させた状態を基準にしている。
また、本明細書において、「第１」及び「第２」という接頭語を使用するが、これは、用語を区別するために用いたものであり、部材又は部分の優劣や順序などを意味しない。
【００１８】
（第１実施形態）
図１〜図３において、本実施形態の包装ケース１は、筒状の周壁面２１を有する上方ケース２が筒状の周壁面３１を有する下方ケース３の外側に挿入されている。包装ケース１の収納部内には、商品Ｘが収納されている。該商品Ｘが、柄Ｘ１と埃吸着部Ｘ２とを有する清掃具（例えば、ハンディモップなど）である場合、前記清掃具は、上方ケース１と下方ケース２によって形成される収納部内に立てた状態で収納される。かかる清掃具を包装ケース１内に収納することにより、本発明の清掃具包装体が構成される。この清掃具包装体は、前記上方ケース２を前記下方ケース３の下方向にスライド移動させることにより、下方ケース３の上方の開口部から柄Ｘ１を突出させることができる。
【００１９】
包装ケース１（上方ケース２及び下方ケース３）は、可撓性のあるシート材を組み立てることによって形成されている。
上方ケース２及び下方ケース３の大きさは、収納される商品Ｘに応じて適宜設定される。すなわち、上方ケース２を下方ケース３の上方位置において保持した状態（包装ケース１の状態）において、その内部に形成される収納部に商品Ｘを入れることができるように、上方ケース２及び下方ケース３は形成される。例えば、図示したように、商品Ｘがハンディモップなどの家庭用清掃具である場合、上方ケース２及び下方ケース３は、該家庭用清掃具を収納できる上下方向に長い筒状に形成される。また、本発明の包装ケース１を保管ケースとして使用する場合、上方ケース２を下方向へスライド移動させて下方ケース３に重ねるため、上方ケース２及び下方ケース３の高さ（上下方向長さ）は、略同じか、或いは、上方ケース２又は下方ケース３の何れか一方の高さが、他方よりも１倍を超え１．５倍以下に形成されていることが好ましい。
また、上方ケース２及び下方ケース３は、所定形状に形成された複数枚のシート材の適宜箇所を貼り合わせた接合シート材を組み立てることによってそれぞれ形成されていてもよいが、所定形状に形成された１枚のシート材を組み立てることによってそれぞれ形成されていることが好ましい。
【００２０】
図４は、本実施形態の上方ケース２及び下方ケース３を形成するための各シート材の展開図を示す（以下、上方ケース２を形成するためのシート材を展開上方シート２０といい、下方ケース３を形成するためのシート材を、展開下方シート３０という）。
この展開上方シート２０及び展開下方シート３０をそれぞれ組み立てることにより、上方ケース２及び下方ケース３が形成される。
なお、包装ケース１（上方ケース２及び下方ケース３）の各構成要素の説明において、図１〜図３に表されていない構成要素（符号）については、展開上方シート２０及び展開下方シート３０を参照されたい。図４の展開上方シート２０及び展開下方シート３０には、包装ケース１の各構成要素に対応した符号を付している。ただし、図４においては、全ての罫線を、便宜上、一点鎖線で表している。
なお、本明細書において、「折り罫線」とは、シート材を折り曲げ易く型付けできるように形成された線を意味する。折り罫線としては、例えば、シート材を厚み方向に押圧した押圧線、シート材を厚み方向に略Ｖ字状に切り込んだハーフカット線などが挙げられる。
【００２１】
上方ケース２及び下方ケース３を形成するシート材は、特に限定されず、従来公知のものを用いることができる。該シート材としては、ポリプロピレン、ポリエチレンなどのポリオレフィン系、ポリエチレンテレフタレートなどの合成樹脂製シート、厚紙、合成紙、及びこれらの積層シートなどが挙げられる。中でも、透明性に優れた合成樹脂製シート又はその積層シートを用いることが好ましい。透明性に優れたシート材は、無色であることが好ましいが、透明性を損なわない範囲で着色されていてもよい。
シート材の厚みは、特に限定されないが、好ましくは０．２ｍｍ〜１．０ｍｍ程度である。特に、本発明の包装ケース１は、上方ケース２を下方位置に押し下げたときに、上方ケース２と下方ケース３の周壁面２１，３１が重なって２重壁面構造の箱となることから、比較的薄いシート材（例えば、厚み０．２ｍｍ〜０．６ｍｍ程度のポリプロピレン製シート）を用いることも可能となる。
【００２２】
下方ケース３は、例えば、筒状の周壁面３１と、前記周壁面３１の上方に開口された開口部と、前記周壁面３１の下部を閉塞する底面と、を有する有底筒状に形成されている。前記底面は、平面視略六角形状に形成され、これに応じて周壁面３１は、略六角筒状に形成されている。もっとも、下方ケース３は、有底略六角筒状に形成されている場合に限られず、例えば、有底略四角筒状や有底略三角筒状などの有底多角筒状、有底略円筒状、有底略楕円柱状などに形成することも可能である。
上記有底略六角筒状に形成された下方ケース３は、平面視略六角形状の底面と、この底面の６辺から底面に対して略直角に立ち上げられた第１壁面３１１〜第６壁面３１６からなる周壁面３１と、を有する。かかる下方ケース３は、折り罫線にて折り曲げながら第１壁面３１１の側部に延設された糊代３３（展開下方シート３０を参照）を第６壁面３１６の側部に貼り付けた後、第１壁面３１１〜第６壁面３１６の下端縁からそれぞれ延設された底面形成用フラップ３２を組み合わせる（底面は、組み合わされた底部形成用フラップ３２からなる）ことによって、形成することができる。
なお、図示例では、下方ケース３の周壁面３１の上端縁は、装飾性を高める目的で、波状に形成された部分を有するが、該上端縁は、直線状に形成されていてもよい。
【００２３】
一方、上方ケース２は、例えば、筒状の周壁面２１と、前記周壁面２１の下方に開口された開口部と、前記周壁面２１の上部を閉塞する天面と、を有する有天筒状に形成されている。前記天面は、平面視略崩れ六角形（紡錘形状に似た細長六角形状）に形成されている。周壁面２１は、その上方部が天面の形状に応じた略崩れ六角筒状に形成されているが、全体として前記周壁面２１は、挿入時に下方ケース３の周壁面の外面に沿うような、略六角筒状に形成されている。もっとも、上方ケース２の天面は、下方ケース３の底面と略同じ形状に形成されていてもよい。なお、上方ケース２の周壁面２１は、略六角筒状に形成されている場合に限られず、下方ケース３の周壁面３１に添うような形状に形成されていればよく、下方ケース３の周壁面３１の形状に応じて適宜変更できる。
【００２４】
上方ケース２は、天面と、この天面の周辺から下方に延びる第１壁面２１１〜第６壁面２１６からなる周壁面２１と、を有する。かかる上方ケース２は、折り罫線にて折り曲げながら第１壁面２１１の側部に延設された糊代２３（展開上方シート２０を参照）を第６壁面２１６の側部に貼り付けて筒状の周壁面２１を形成した後、第２壁面２１２〜第４壁面２１４の上端縁から延設された天面２２を周壁面２１の開口部側へ折り曲げ、天面２２から延設されたフラップ２２１を周壁面２１の内側へ当接させることによって、形成することができる。
また、上方ケース２の周壁面２１には、上方ケース２の上方部を除去するための開封用帯部２４が形成されている。該開封用帯部２４は、第６壁面２１６の側部上方部に形成された上下一対の切込み線８Ａ，８Ａの端部から周壁面２１の周方向に形成された上下一対の破断用罫線９Ａ，９Ａの間の帯状領域からなる。前記破断用罫線９Ａ，９Ａとしては、例えば、ハーフカット線、ミシン目線などが挙げられる。前記一対の切込み線８Ａ，８Ａの間の端部を手で摘み、周方向に引き出すことにより、一対の破断用罫線９Ａ，９Ａに沿って開封用帯部２４を切除できる。これにより、図５に示すように、上方ケース２の上方部（天面２２を含む）が分離され、上方ケース２の周壁面２１の上方が開口される。
【００２５】
前記上方ケース２は、上方ケース２の開口部を下にして下方ケース３の開口部側から下方ケース３の周壁面３１の外側に挿入されている。挿入された上方ケース２は、保持手段によって、下方ケース３の上方位置に保持されている。
前記保持手段は、例えば、上方ケース２の周壁面２１に形成された下向き縁２Ａに下方ケース３の周壁面３１に形成された上向き縁３Ｂを交差させた左右一対の第１交差部４１と、上方ケース２の周壁面２１に形成された上向き縁２Ｂに下方ケース３の周壁面３１に形成された下向き縁３Ａを交差させた左右一対の第２交差部４２と、一対の第１交差部４１の間における下方ケース３の第１領域３５１の内側に係入された上方ケース２の第１領域２５１と、一対の第２交差部４２の間における下方ケース３の第２領域３５２の内側に係入された上方ケース２の第２領域２５２と、から構成されている。
【００２６】
なお、本明細書において、「上向き縁」とは、端面が上側に向いた縁を意味し、「下向き縁」とは、端面が下側に向いた縁を意味する。「上向き縁」及び「下向き縁」は、例えば、周壁面の面内の一部に切込み線や窓部を形成することによって形成することができる。また、周壁面の端縁自体（上端縁や下端縁）を、「上向き縁」及び「下向き縁」とすることもできる。
【００２７】
具体的には、前記下方ケース３の周壁面３１の上方部には、上方ケース２の下向き縁２Ａに交差して左右一対の第１交差部４１を構成しうる上向き縁３Ｂと、上方ケース２の上向き縁２Ｂに交差して左右一対の第２交差部４２を構成しうる下向き縁３Ａと、が形成されている。
本実施形態においては、下方ケース３の上向き縁３Ｂ及び下向き縁３Ａの各々は、その周壁面３１の上方部の異なる２箇所にそれぞれ形成されている。前記２箇所は、向かい合う位置であることが好ましい。
前記上向き縁３Ｂ及び下向き縁３Ａの各々が向かい合う位置に形成されていることにより、上方ケース２を下方ケース３の上方位置において安定的に保持できる。
【００２８】
本実施形態においては、前記下方ケース３の上向き縁３Ｂ及び下向き縁３Ａは、下方ケース３の周壁面３１に形成された窓部３６の開口縁から構成されている。
例えば、下方ケース３の第１壁面３１１の上方部の面内には、窓部３６が形成されている。なお、前記第１壁面３１１と向かい合う第５壁面３１５の上方部の面内にも、同様の窓部３６が形成されている。これらの窓部３６は、前記壁面の面内を長方形状に打ち抜いた開口からなる。前記窓部３６の４方の開口縁（上側開口縁及びこれに対向する下側開口縁、並びに、両側開口縁）のうち下側開口縁が、前記下方ケース３の上向き縁３Ｂに相当する。また、この窓部３６の上側開口縁が、前記下方ケース３の下向き縁３Ａに相当する。
【００２９】
さらに、下方ケース３の上向き縁３Ｂの下方側の領域が、下方ケース３の第１領域３５１に相当し、下方ケース３の下向き縁３Ａの上方側の領域が、下方ケース３の第２領域３５２に相当する。
この下方ケース３の第１領域３５１は、上方ケース２の第１領域２５１が係入される部分である。前記下方ケース３の第１領域３５１を容易に切除するため、下方ケース３の周壁面３１の面内には、破断用補助線３７が形成されている。
かかる下方ケース３の第１領域３５１を指で摘んで引き出すと、破断用補助線３７に沿って切れていき、前記第１領域３５１を容易に切除できる。
【００３０】
例えば、下方ケース３の第１壁面３１１及び第５壁面３１５の面内には、前記窓部３６の両側開口縁のそれぞれの延長線上に一対の破断用補助線３７が形成され、且つ、前記一対の破断用補助線３７の下端の間に、更に破断用補助線３７が連設されている。前記窓部３６の下側開口縁及び破断用補助線３７で囲われた領域（下方ケース３の第１領域３５１）の面積は、係入される上方ケース２の第１領域２５１よりも大きいことが好ましい。
【００３１】
ここで、本明細書において、「破断用補助線」とは、僅かな力を加えることによりその線に沿ってシート材が破断しうるように形成された線を意味する。破断用補助線としては、例えば、図示したような短い非切込み部（例えば、長さ１ｍｍ程度の非切込み部）を介して連設された複数の長い切込み線（例えば、長さ３ｍｍ〜１０ｍｍの切込み線）、その他図示しないが、マイクロミシン目線（貫通孔の長さと非貫通部の長さがそれぞれ０．３ｍｍ〜０．８ｍｍ程度のミシン目線）、レーザー処理などによりシート材を脆弱化した脆弱線などが挙げられる。
また、本明細書において、「切込み線」とは、シート材の厚み方向に完全に貫通する切り目を意味する。
【００３２】
一方、前記上方ケース２の周壁面２１の下方部には、下方ケース３の上向き縁３Ｂに交差して左右一対の第１交差部４１を構成しうる下向き縁２Ａと、下方ケース３の下向き縁３Ａに交差して左右一対の第２交差部４２を構成しうる上向き縁２Ｂと、が形成されている。
本実施形態においては、上方ケース２の下向き縁２Ａ及び上向き縁２Ｂの各々は、上方ケース２を下方ケース３に挿入したときに、下方ケース３の上向き縁３Ｂ及び下向き縁３Ａにそれぞれ対応するような位置に設けられている。
下方ケース３の上向き縁３Ｂ及び下向き縁３Ａの各々が向かい合う２箇所にそれぞれ形成されている場合、上方ケース２の下向き縁２Ａ及び上向き縁２Ｂもそれぞれ、向かい合う位置に形成されている。
【００３３】
本実施形態においては、前記上方ケース２の下向き縁２Ａは、上方ケース２の周壁面２１の下端縁から構成されている。また、上方ケース２の上向き縁２Ｂは、上方ケース２の周壁面２１に形成された切込み線８Ｂから構成されている。
例えば、上方ケース２の第１壁面２１１の下端部には、下方に延びる舌状の第１領域２５１が延設されている。なお、上方ケース２の第５壁面２１５の下端部にも、同様の第１領域２５１が延設されている。この舌状の第１領域２５１の基部の左右側における周壁面２１の下端縁が、上方ケース２の下向き縁２Ａに相当する。
また、上方ケース２の第１壁面２１１の下方部の面内には、上方へ膨らんだ弧状の切込み線８Ｂが形成されている。この切込み線８Ｂは、前記第１領域２５１の上方側の位置に形成されている。前記弧状の切込み線８Ｂで囲われた領域を押し出すことにより、周壁面３１の面内に、上方に延びる舌状の第２領域２５２が形成される。なお、前記第１壁面２１１と向かい合う第５壁面２１５にも、同様の切込み線８Ｂが形成されている。前記切込み線８Ｂの上側切断縁及びこれに対向する下側切断縁のうち上側切断縁（第２領域の上端縁）が、前記上方ケース２の上向き縁２Ｂに相当する。
【００３４】
上方ケース２の周壁面２１の内面が下方ケース３の周壁面３１の外面に接するようにして、上方ケース２を下方ケース３の外側に挿入した状態で、上方ケース２の舌状の第１領域２５１を下方ケース３の窓部３６に上側から挿入する。このように上方ケース２の第１領域２５１を挿入することにより、上方ケース２の下向き縁２Ａが、その第１領域２５１の両側において、下方ケース３の上向き縁３Ｂに交差する。よって、上方ケース２の下向き縁２Ａが下方ケース３の上向き縁３Ｂに交差した左右一対の第１交差部４１，４１が形成され、該左右一対の第１交差部４１，４１の間における上方ケース２の第１領域２５１が、前記左右一対の第１交差部４１，４１の間における下方ケース３の第１領域３５１の内側に係入されている。
【００３５】
他方、上方ケース２の舌状の第２領域２５２を下方ケース３の窓部３６に下側から挿入する。このように上方ケース２の第２領域２５２を挿入することにより、上方ケース２の上向き縁２Ｂが、その第２領域２５２の両側において、下方ケース３の下向き縁３Ａに交差する。よって、上方ケース２の上向き縁２Ｂが下方ケース３の下向き縁３Ａに交差した左右一対の第２交差部４２，４２が形成され、該左右一対の第２交差部４２，４２の間における上方ケース２の第２領域２５２が、前記左右一対の第２交差部４２，４２の間における下方ケース３の第２領域３５２の内側に係入されている。
上方ケース２の下向き縁２Ａが第１交差部４１において下方ケース３の上向き縁３Ｂに交差され且つ上方ケース２の第１領域２５１が係入されているので、上方ケース２は、下方向へスライド移動する虞がない。
また、上方ケース２の上向き縁２Ｂが第２交差部４２において下方ケース３の下向き縁３Ａに交差され且つ上方ケース２の第２領域２５２が係入されているので、上方ケース２は上方向へスライド移動する虞がない。
【００３６】
なお、上方ケース２及び下方ケース３には、所望の意匠が表示されていてもよい。前記意匠としては、広告、広告以外の意匠などが挙げられる。広告には、商品の販売促進のための意匠が含まれる。広告以外の意匠には、絵柄、商品名、説明書きなどが含まれる。
例えば、下方ケース３の周壁面３１には、所望の意匠を表示した第１意匠部Ｙ１が設けられ、上方ケース２の周壁面２１には、所望の意匠を表示した第２意匠部Ｙ２が設けられている。
この上方ケース２の第２意匠部Ｙ２は、上方ケース２を下方位置にスライド移動させたときに、下方ケース３の第１意匠部Ｙ１に重なるような位置に設けられていることが好ましい。上方ケース２が下方ケース３の外側に挿入されている場合、上方ケース２を下方位置にスライドさせると、前記下方ケース３の第１意匠部Ｙ１は、上方ケース２の第２意匠部Ｙ２によって隠される。このため、下方ケース３の第１意匠部Ｙ１が、外部から見えなくなる。従って、下方ケース３の第１意匠部Ｙ１に広告を表示し、上方ケース２の第２意匠部Ｙ２に広告以外の意匠（例えば絵柄など）を表示しておくことにより、商品Ｘを入れた包装ケース１を陳列販売しているときには、前記第１意匠部Ｙ１の広告が消費者の目に付く一方で、該包装ケース１を商品Ｘの保管ケースとして使用するときには（上方ケース２を下方位置に下げたとき）、広告が目立たないようにすることが可能となる。
なお、上方ケース２及び下方ケース３には、上記第１意匠部Ｙ１及び第２意匠部Ｙ２が設けられた箇所以外に、他の意匠部が設けられていてもよい。
【００３７】
上記包装ケース１は、図１に示すように、収納部内に商品Ｘを入れた包装体の状態で陳列販売される。
包装ケース１に入れる商品Ｘは、特に限定されない。本発明の包装ケース１は、保管ケースとして使用することもできる。このため、商品Ｘとしては、例えば、ハンディモップのような清掃具が好ましい。包装ケース１の収納部内に清掃具を入れた包装体は、本発明の清掃具包装体である。包装ケース１の収納部内に清掃具を入れた包装体は、清掃具製品として販売に供される。
清掃具包装体を形成するときには、下方ケース３の内部に清掃具の埃吸着部Ｘ２を位置させ、且つ上方ケース２の内部に清掃具の柄Ｘ１を位置させるようにして、清掃具を包装ケース１の収納部内に入れることが好ましい。
包装体から商品Ｘを取り出す際には、図５に示すように、上方ケース２の開封用帯部２４を切除することにより、上方ケース２の上方部を分離して、上方ケース２の周壁面２１の上方を開口する。さらに、破断用補助線３７を利用して下方ケース３の第１領域３５１を切除することにより、上方ケース２の第１領域２５１の係入を解除できる。このため、上方ケース２の下向き縁２Ａと下方ケース３の上向き縁３Ｂの交差を解除できる（第１交差部４１を消滅させる）。このように保持手段を解除することにより、上方ケース２は、下方向にスライド移動可能となる。
【００３８】
そして、図６に示すように、上方ケース２を下方位置まで下げることにより、下方ケース３の周壁面３１の外面に上方ケース２の周壁面２１が重なり、且つ上方が開口した２重構造箱１０を構成できる。上方ケース２を下げると、前記２重構造箱１０の上方の開口部から、清掃具の柄Ｘ２が突出（露出）する。この柄Ｘ１を手に持ち、清掃具を簡単に取り出すことができる。また、一度取り出した清掃具の柄Ｘ１を手で持って、その埃吸着部Ｘ２を２重構造箱１０の開口部から２重構造箱１０の内部へ容易に入れることができる。前記２重構造箱１０の上方の開口部は、下方ケース３の上方に開口された開口部に相当する。このため、２重構造箱１０の上方の開口部から清掃具を容易に出し入れできる。このように本発明の包装ケース１は、商品の保管ケースとして使用できる。
前記２重構造箱１０は、上方ケース２と下方ケース３の各周壁面が重なって構成されているので、壁面強度に優れ、保管ケースとして好適である。
さらに、前記２重構造箱１０は、上方ケース２を下方向に移動させることにより構成されるので、その高さが、元の包装ケース１の高さに比して低くなる。このため、前記２重構造箱１０は、自立安定性にも優れている。
【００３９】
なお、本発明の包装ケース１は、本実施形態に示した構成に限られず、適宜設計変更可能である。
例えば、本実施形態においては、窓部３６の下方側に開封用補助線３７を設けて下方ケース３の第１領域３５１を容易に切除できるようにしているが、例えば、適宜な箇所に開封用補助線を設けることにより、下方ケース３の第２領域３５２、上方ケース２の第１領域２５１、及び／又は第２領域２５２を容易に切除できるようにしてもよい。下方ケース３の第１領域３５１及び第２領域３５２、並びに上方ケース２の第１領域２５１及び第２領域２５２から選ばれる少なくとも１つの領域を切除することにより、第１交差部４１及び／又は第２交差部４２が解消され、上方ケース２を下方向に移動させることができる。
【００４０】
（第２実施形態）
図７〜図１０において、本実施形態の包装ケース１は、筒状の周壁面２１を有する上方ケース２が筒状の周壁面３１を有する下方ケース３の内側に挿入されている。
ただし、第２実施形態を説明するにあたっては、上記第１実施形態と同様の構成及び効果については説明を省略し、用語及び符号をそのまま援用する場合がある。
また、図１１は、本実施形態の上方ケース２及び下方ケース３を形成するための各シート材の展開図を示す。なお、包装ケース１（上方ケース２及び下方ケース３）の各構成要素の説明において、図７〜図１０に表されていない構成要素（符号）については、図１１の展開上方シート２０及び展開下方シート３０を参照されたい。図１１の展開上方シート２０及び展開下方シート３０には、本実施形態の包装ケース１の各構成要素に対応した符号を付している。ただし、図１１においては、全ての罫線を、便宜上、一点鎖線で表している。
【００４１】
本実施形態の上方ケース２及び下方ケース３の大きさ及び形状は、上方ケース２の周壁面２１を下方ケース３の周壁面３１の内側に沿わせながら、上方ケース２が下方ケース３の上下方向にスライド移動できるように形成されていることを除いて、上記第１実施形態と同様である。
【００４２】
前記上方ケース２は、上方ケース２の開口部を下にして下方ケース３の開口部側から下方ケース３の周壁面３１の内側に挿入されている。挿入された上方ケース２は、保持手段によって、下方ケース３の上方位置に保持されている。
【００４３】
下方ケース３の周壁面３１の上方部には、上方ケース２の下向き縁２Ａに交差して左右一対の第１交差部４１を構成しうる上向き縁３Ｂと、上方ケース２の上向き縁２Ｂに交差して左右一対の第２交差部４２を構成しうる下向き縁３Ａと、が形成されている。
【００４４】
本実施形態においては、前記下方ケース３の上向き縁３Ｂは、下方ケース３の周壁面３１に形成された切込み線８Ｃから構成されている。
例えば、下方ケース３の第１壁面３１１の上方部の面内には、上方へ膨らんだ弧状の切込み線８Ｃが形成されている。下方ケース３の第５壁面３１５の上方部の面内にも、同様の切込み線８Ｃが形成されている。この弧状の切込み線８Ｃで囲われた領域を押し出すことにより、周壁面３１の面内に、上方に延びる舌状の第１領域３５１が形成される。この下方ケース３の第１領域３５１は、上方ケース２の第１領域２５１が係入される部分である。また、この切込み線８Ｃの左右側（両端部）における上側切断縁が、下方ケース３の上向き縁３Ｂに相当する。
【００４５】
また、前記下方ケース３の下向き縁３Ａは、下方ケース３の周壁面３１に形成された切込み線８Ｄから構成されている。
例えば、下方ケース３の第３壁面３１３の上方部の面内には、下方へ膨らんだ弧状の切込み線８Ｄが形成されている。この弧状の切込み線８Ｄで囲われた領域を押し出すことにより、周壁面３１の面内に、下方に延びる舌状の第２領域３５２が形成される。この下方ケース３の第２領域３５２は、上方ケース２の第２領域２５２が係入される部分である。また、この切込み線８Ｄの左右側（両端部）における下側切断縁が、下方ケース３の上向き縁３Ｂに相当する。
【００４６】
前記下方ケース３の第２領域３５２を容易に切除するため、下方ケース３の周壁面３１の面内には、破断用補助線３７が形成されている。
例えば、下方ケース３の第３壁面３１３の面内には、前記切込み線８Ｄの両端部から下方ケース３の上端縁に渡って、左右一対の破断用補助線３７が傾斜状に形成されている。
該破断用補助線３７に沿って切り取ることにより、下方ケース３の第２領域３５２を含む一部分を容易に切除できる。
【００４７】
一方、前記上方ケース２の周壁面２１には、下方ケース３の上向き縁３Ｂに交差して左右一対の第１交差部４１を構成しうる下向き縁２Ａと、下方ケース３の下向き縁３Ａに交差して左右一対の第２交差部４２を構成しうる上向き縁２Ｂと、が形成されている。
【００４８】
本実施形態においては、前記上方ケース２の下向き縁２Ａは、上方ケース２の周壁面２１の下端縁から構成されている。また、上方ケース２の上向き縁２Ｂは、上方ケース２の周壁面２１に形成された切込み線８Ｅから構成されている。
例えば、上方ケース２の第１壁面２１１及び第５壁面２１５の下端縁は、直線状に形成れている。
また、上方ケース２の第３壁面２１３の下方部の面内には、下方へ膨らんだ略コの字状の切込み線８Ｅが形成されている。前記切込み線８Ｅの下方側の領域が、上方ケース２の第２領域２５２に相当する。また、前記切込み線８Ｅの上側切断縁（第２領域２５２の上端縁）が、前記上方ケース２の上向き縁２Ｂに相当する。
【００４９】
上方ケース２の周壁面２１の外面が下方ケース３の周壁面３１の内面に接するようにして、上方ケース２を下方ケース３の内側に挿入した状態で、図１０（ａ）に示すように、下方ケース３の第１領域３５１を内側に押し出し、上方ケース２の第１領域２５１を下方ケース３の第１領域３５１と周壁面３１の間に差し入れる。このように上方ケース２の第１領域２５１を挿入することにより、上方ケース２の下向き縁２Ａが下方ケース３の上向き縁３Ｂに交差した左右一対の第１交差部４１，４１が形成される。また、該左右一対の第１交差部４１，４１の間における下方ケース３の第１領域３５１が、前記左右一対の第１交差部４１，４１の間における上方ケース２の第１領域２５１の内側に係入される。
【００５０】
他方、下方ケース３の舌状の第２領域３５２を上方ケース２の切込み線８Ｅに上側から挿入する。このように下方ケース３の第２領域３５２を挿入することにより、下方ケース３の下向き縁３Ａが、その第２領域３５２の両側において、上方ケース２の上向き縁２Ｂに交差し、上方ケース２の上向き縁２Ｂが下方ケース３の下向き縁３Ａに交差した左右一対の第２交差部４２，４２が形成される。また、該左右一対の第２交差部４２，４２の間における下方ケース３の第２領域３５２が、前記左右一対の第２交差部４２，４２の間における上方ケース２の第２領域２５２の内側に係入される。
このように本実施形態の包装ケース１も、第１交差部４１及び第２交差部４２を有し、且つ下方ケース３の第１領域３５１及び第２領域３５２が係入されているので、上方ケース２は、上下方向へスライド移動する虞がない。
【００５１】
なお、本実施形態の上方ケース２及び下方ケース３も、上記第１実施形態と同様に、第１意匠部Ｙ１、第２意匠部Ｙ２、及びその他の意匠部が設けられていてもよい。
ただし、本実施形態の上方ケース２は、下方ケース３の内側へ挿入されるので、上方ケース２に設けられる第２意匠部Ｙ２に広告を表示し、下方ケース３に設けられる第１意匠部Ｙ１に広告以外の意匠を表示しておくことが好ましい。各意匠部の表示を前記のようにすることにより、上方ケース２を下方位置に下げたときに、広告表示からなる第２意匠部Ｙ２が、下方ケース３の第１意匠部Ｙ１によって隠される。
【００５２】
本実施形態の包装ケース１は、図１２に示すように、上方ケース２の開封用帯部２４を切除し、さらに、破断用補助線３７を利用して下方ケース３の第２領域３５２を切除することにより、上方ケース２の第２領域２５２の係入を解除できる。このため、上方ケース２の上向き縁２Ｂと下方ケース３の下向き縁３Ａの交差を解除できる（第２交差部４２を消滅させる）。
【００５３】
次に、上方ケース２を少し上方向に移動させて、下方ケース３の第１領域３５１の係合を解除した後、図１３に示すように、上方ケース２を下方位置まで下げることにより、下方ケース３の周壁面３１の内面に上方ケース２が重なり、且つ上方が開口した２重構造箱１０を構成できる。
本実施形態の包装ケース１も、第１実施形態と同様に、商品の保管ケースとして使用できる。
【００５４】
なお、本実施形態の包装ケースも、適宜設計変更可能である。
例えば、本実施形態においては、下方ケース３に開封用補助線３７を設けて下方ケース３の第２領域３５２を容易に切除できるようにしているが、例えば、適宜な箇所に開封用補助線を設けることにより、下方ケース３の第１領域３５１、上方ケース２の第１領域２５１、及び／又は第２領域２５２を容易に切除できるようにしてもよい。
【００５５】
（その他の実施形態）
上記第１実施形態に示すような上方ケース２を逆に下方ケースとし且つ同下方ケース３を逆に上方ケースとすることにより（つまり、第１実施形態の上方ケース２及び下方ケース３からなる包装ケースを天地反対にすることにより）、上方ケースが下方ケースの外側に挿入された包装ケースを構成できる。
同様に、上記第２実施形態に示すような上方ケース２を逆に下方ケースとし且つ同下方ケース３を逆に上方ケースとすることにより（つまり、第２実施形態の上方ケース２及び下方ケース３からなる包装ケースを天地反対にすることにより）、上方ケースが下方ケースの内側に挿入された包装ケースを構成できる。
【００５６】
また、上方ケース２及び下方ケース３の周壁面は、図１４に示すような略四角筒状に形成されていてもよい。
その他、上方ケース２の保持手段は、上記各実施形態で示した構成に限られず、本発明の意図する範囲で適宜変更できる。
【産業上の利用可能性】
【００５７】
本発明の包装ケースは、商品の陳列販売時だけでなく、商品の保管ケースとしても使用できる。特に、本発明の包装ケースは、ハンディモップのような清掃具の保管ケースとして好適に使用できる。
【符号の説明】
【００５８】
１…包装ケース、２…上方ケース、２１…上方ケースの周壁面、２Ａ…上方ケースの下向き縁、２Ｂ…上方ケースの上向き縁、２５１…上方ケースの第１領域、２５２…上方ケースの第２領域、３…下方ケース、３１…下方ケースの周壁面、３Ａ…下方ケースの下向き縁、３Ｂ…下方ケースの上向き縁、３５１…下方ケースの第１領域、３５２…下方ケースの第２領域、４１…第１交差部、４２…第２交差部、３７…破断用補助線、Ｘ…商品、Ｘ１…清掃具の柄、Ｘ２…清掃具の埃吸着部
【図１】
2010269802.tif 000003
【図２】
2010269802.tif 000004
【図３】
2010269802.tif 000005
【図４】
2010269802.tif 000006
【図５】
2010269802.tif 000007
【図６】
2010269802.tif 000008
【図７】
2010269802.tif 000009
【図８】
2010269802.tif 000010
【図９】
2010269802.tif 000011
【図１０】
2010269802.tif 000012
【図１１】
2010269802.tif 000013
【図１２】
2010269802.tif 000014
【図１３】
2010269802.tif 000015
【図１４】
2010269802.tif 000016